(57)【要約】      （修正有）【課題】内部に空気を入れるのに口を使う必要がなく、衛生的であるうえに、よりコンパクトである空気枕を提供する。【解決手段】袋状の空気枕本体１１と、空気枕本体１１内へ空気を供給しうると共に排気しうる、空気枕本体１１に内蔵された手押式ポンプユニット１２とを備え、手押式ポンプユニット１２は、空気枕本体１１内へ空気を供給しうるポンプ部１３と、ポンプ部１３に接合され、ポンプ部１３により内部に高圧が形成された場合には空気枕本体１１内へ空気を供給すると共に、ポンプ部１３により内部に負圧が形成された場合には空気を外部から吸入するように構成されたバルブ部１４とを備えた構成とされている。【選択図】図１
0003214113.tif 000002
【実用新案登録請求の範囲】
【請求項１】
袋状の空気枕本体と、前記空気枕本体内へ空気を供給しうると共に排気しうる、前記空気枕本体に内蔵された手押式ポンプユニットとを備え、
前記手押式ポンプユニットは、前記空気枕本体内へ空気を供給しうるポンプ部と、前記ポンプ部に接合され、前記ポンプ部により内部に高圧が形成された場合には前記空気枕本体内へ空気を供給すると共に、前記ポンプ部により内部に負圧が形成された場合には空気を外部から吸入するように構成されたバルブ部とを備えたことを特徴とする空気枕。
【請求項２】
前記ポンプ部は、前記空気枕本体上に突出配置され、可撓性を有する素材からなり、押圧された場合に変形可能な膨出部として形成されると共に、前記バルブ部は前記空気枕本体の表面部に開口し、空気を流入及び排出する空気流通孔部と、前記空気流通孔部を開閉しうるバルブ本体と、前記ポンプ部と前記バルブ部との間に、前記ポンプ部と前記バルブ部との間で空気を流通させる空気流通部とを有することを特徴とする請求項１記載の空気枕。
【請求項３】
前記バルブ本体は、第一の弁座と、前記第一の弁座の内方側に設けられた第二の弁座と、前記第一の弁座を開閉可能に閉止する、可撓性を有する第一の弁部と、前記第二の弁座を開閉可能に閉止する、可撓性を有する第二の弁部とを備え、前記空気流通部は前記第一の弁部と前記第二の弁部との間に設けられていることを特徴とする請求項２に記載の空気枕。
【請求項４】
前記ポンプ部は、合成樹脂製であって中空のドーム体と、前記ドーム体に内装されたスプリングとを有すると共に、前記第一の弁座、前記第二の弁座、前記第一の弁部及び前記第二の弁部は同軸上に配置されており、同軸上に配置されたスプリングにより常時、閉状態に付勢されていることを特徴とする請求項３記載の空気枕。
【請求項５】
前記空気枕本体は、人の首に嵌め込み可能に平面略Ｕ字形状に形成されていることを特徴とする請求項１乃至４のいずれか１項に記載の空気枕。
【請求項６】
前記空気枕本体の人の後頭部があたる位置には、後頭部を支えうる突出部が形成されていることを特徴とする請求項５記載の空気枕。
【考案の詳細な説明】
【技術分野】
【０００１】
本考案は、旅行時などに携帯するのに適した空気枕に関するものである。
【背景技術】
【０００２】
従来から、旅行時などに携帯するのに適した空気枕は、多数提案され、実施に供されている。
【０００３】
これら従来の空気枕では、様々な工夫がなされているが、近年、特に衛生面を重視して、例えば、特許文献１に開示されているように、口を使わずに空気枕内へ空気を入れることができる空気枕も提案されている。
【０００４】
しかしながら、特許文献１に開示されたような空気枕は、空気枕本体にチューブを介して空気枕本体内に空気を入れるための手押式ポンプが接続されているので、特に使用時に、手押式ポンプが垂れ下がって邪魔であった。
【０００５】
このようなことから、よりコンパクトな空気枕が欲しいとの要請が多くの人々の間からあった。
【先行技術文献】
【特許文献】
【０００６】
【特許文献１】実用新案登録第３１６３９３４号公報
【考案の概要】
【考案が解決しようとする課題】
【０００７】
本考案は、以上のような従来の要請に応えるためのものであって、その課題は、内部に空気を入れるのに口を使う必要がなく、衛生的であるうえに、よりコンパクトである空気枕を提供することにある。
【課題を解決するための手段】
【０００８】
前記課題を解決するために、請求項１記載の考案にあっては、袋状の空気枕本体と、前記空気枕本体内へ空気を供給しうると共に排気しうる、前記空気枕本体に内蔵された手押式ポンプユニットとを備え、前記手押式ポンプユニットは、前記空気枕本体内へ空気を供給しうるポンプ部と、前記ポンプ部に接合され、前記ポンプ部により内部に高圧が形成された場合には前記空気枕本体内へ空気を供給すると共に、前記ポンプ部により内部に負圧が形成された場合には空気を外部から吸入するように構成されたバルブ部とを備えたことを特徴とする。
従って、前記手押式ポンプユニットが前記空気枕本体に内蔵されているため、前記空気枕本体から垂れ下がるものがない。
【０００９】
請求項２記載の考案にあっては、前記ポンプ部は、前記空気枕本体上に突出配置され、可撓性を有する素材からなり、押圧された場合に変形可能な膨出部として形成されると共に、前記バルブ部は前記空気枕本体の表面部に開口し、空気を流入及び排出する空気流通孔部と、前記空気流通孔部を開閉しうるバルブ本体と、前記ポンプ部と前記バルブ部との間に、前記ポンプ部と前記バルブ部との間で空気を流通させる空気流通部とを有することを特徴とする。
従って、前記ポンプ部は、前記空気枕本体上に突出配置されているため、前記空気枕本体内に空気を入れる際に押し易い。
【００１０】
請求項３記載の考案にあっては、前記バルブ本体は、第一の弁座と、前記第一の弁座の内方側に設けられた第二の弁座と、前記第一の弁座を開閉可能に閉止する、可撓性を有する第一の弁部と、前記第二の弁座を開閉可能に閉止する、可撓性を有する第二の弁部とを備え、前記空気流通部は前記第一の弁部と前記第二の弁部との間に設けられていることを特徴とする。
従って、前記ポンプ部を手で押して、前記空気枕本体内に空気を入れる際に、前記ポンプ部が収縮しているときは、前記第一の弁部は閉状態で、前記第二の弁部は開状態となり、前記ポンプ部が復元しているときは、前記第一の弁部は開状態で、前記第二の弁部は閉状態となる。
【００１１】
請求項４記載の考案にあっては、前記ポンプ部は、合成樹脂製であって中空のドーム体と、前記ドーム体に内装されたスプリングとを有すると共に、前記第一の弁座、前記第二の弁座、前記第一の弁部及び前記第二の弁部は同軸上に配置されており、同軸上に配置されたスプリングにより常時、閉状態に付勢されていることを特徴とする。
従って、前記ポンプ部を形成する合成樹脂製の前記中空のドーム体に内装されたスプリングにより、前記ポンプ部が素早く復元するとともに、前記第一の弁座、前記第二の弁座、前記第一の弁部及び前記第二の弁部は同軸上に配置されており、同軸上に配置されたスプリングにより常時、閉状態に付勢されているため、前記第一の弁座も前記第二の弁座も常時は閉状態であるが、前記バルブ部内に高圧又は負圧が形成されることにより、前記第一の弁座又は前記第二の弁座が開状態又は閉状態となる。
【００１２】
請求項５記載の考案にあっては、前記空気枕本体は、人の首に嵌め込み可能に平面略Ｕ字形状に形成されていることを特徴とする。
従って、使用時は首に嵌め込めばよいため、位置がずれない。
【００１３】
請求項６記載の考案にあっては、前記空気枕本体の人の後頭部があたる位置には、後頭部を支えうる突出部が形成されていることを特徴とする。
従って、使用時には前記突出部が後頭部を支えるため、首が安定する。
【考案の効果】
【００１４】
請求項１記載の空気枕にあっては、袋状の空気枕本体と、前記空気枕本体内へ空気を供給しうると共に排気しうる、前記空気枕本体に内蔵された手押式ポンプユニットとを備え、前記手押式ポンプユニットは、前記空気枕本体内へ空気を供給しうるポンプ部と、前記ポンプ部に接合され、前記ポンプ部により内部に高圧が形成された場合には前記空気枕本体内へ空気を供給すると共に、前記ポンプ部により内部に負圧が形成された場合には空気を外部から吸入するように構成されたバルブ部とを備えた構成とされている。
従って、前記手押式ポンプユニットが前記空気枕本体に内蔵されているため、前記空気枕本体から垂れ下がるものがない。
その結果、前記手押式ポンプユニットが前記空気枕本体に内蔵されているため、前記空気枕本体から垂れ下がるものがないので、その分、内部に空気を入れるのに口を使う必要がなく、衛生的であるうえに、よりコンパクトである。
【００１５】
請求項２記載の空気枕にあっては、前記ポンプ部は、前記空気枕本体上に突出配置され、可撓性を有する素材からなり、押圧された場合に変形可能な膨出部として形成されると共に、前記バルブ部は前記空気枕本体の表面部に開口し、空気を流入及び排出する空気流通孔部と、前記空気流通孔部を開閉しうるバルブ本体と、前記ポンプ部と前記バルブ部との間に、前記ポンプ部と前記バルブ部との間で空気を流通させる空気流通部とを有する。
従って、前記ポンプ部は、前記空気枕本体上に突出配置されているため、前記空気枕本体内に空気を入れる際に押し易い。
その結果、前記空気枕本体内に空気を入れる際に前記ポンプ部を押し易いので、必要時に前記ポンプ部を作動させることにより、容易且つ迅速に前記空気枕本体内へ供気することができる。
【００１６】
請求項３記載の空気枕にあっては、前記バルブ本体は、第一の弁座と、前記第一の弁座の内方側に設けられた第二の弁座と、前記第一の弁座を開閉可能に閉止する、可撓性を有する第一の弁部と、前記第二の弁座を開閉可能に閉止する、可撓性を有する第二の弁部とを備え、前記空気流通部は前記第一の弁部と前記第二の弁部との間に設けられている。
従って、前記ポンプ部を手で押して、前記空気枕本体内に空気を入れる際に、前記ポンプ部が収縮しているときは、前記第一の弁部は閉状態で、前記第二の弁部は開状態となり、前記ポンプ部が復元しているときは、前記第一の弁部は開状態で、前記第二の弁部は閉状態となる。
その結果、前記ポンプ部を手で押して、前記空気枕本体内に空気を入れる際に、前記ポンプ部が収縮しているときは、内部に形成される高圧により、前記第一の弁部は閉状態で、前記第二の弁部は開状態となり、前記ポンプ部が復元しているときは、内部に形成される負圧により、前記第一の弁部は開状態で、前記第二の弁部は閉状態となるので、前記空気枕本体内へ空気を効率的に素早く入れることができる。
【００１７】
請求項４記載の空気枕にあっては、前記ポンプ部は、合成樹脂製であって中空のドーム体と、前記ドーム体に内装されたスプリングとを有すると共に、前記第一の弁座、前記第二の弁座、前記第一の弁部及び前記第二の弁部は同軸上に配置されており、同軸上に配置されたスプリングにより常時、閉状態に付勢されている。
従って、前記ポンプ部を形成する合成樹脂製の前記中空のドーム体に内装されたスプリングにより、前記ポンプ部が素早く復元するとともに、前記第一の弁座、前記第二の弁座、前記第一の弁部及び前記第二の弁部は同軸上に配置されており、同軸上に配置されたスプリングにより常時、閉状態に付勢されているため、前記第一の弁部も前記第二の弁部も常時は閉状態であるが、前記バルブ部内に高圧又は負圧が形成されることにより、前記第一の弁部又は前記第二の弁部が開状態又は閉状態となる。
その結果、前記ポンプ部を形成する合成樹脂製の前記中空のドーム体に内装されたスプリングにより、前記ポンプ部が素早く復元するとともに、前記第一の弁座、前記第二の弁座、前記第一の弁部及び前記第二の弁部は同軸上に配置されており、同軸上に配置されたスプリングにより常時、閉状態に付勢されているため、前記第一の弁部も前記第二の弁部も常時は閉状態であるが、前記バルブ部内に高圧又は負圧が形成されることにより、前記第一の弁部又は前記第二の弁部が開状態又は閉状態となるので、前記空気枕本体内へ空気をより効率的に素早く入れることができる。
【００１８】
請求項５記載の空気枕にあっては、前記空気枕本体は、人の首に嵌め込み可能に平面略Ｕ字形状に形成されている。
従って、使用時は首に嵌め込めばよいため、位置がずれない。
その結果、使用時は首に嵌め込めばよいため、位置がずれないので、乗り物の背凭れの有る座席などに座って使用している場合も、位置直しをせずに済み、楽である。
【００１９】
請求項６記載の空気枕にあっては、前記空気枕本体の人の後頭部があたる位置には、後頭部を支えうる突出部が形成されている。
従って、使用時には前記突出部が後頭部を支えるため、首が安定する。
その結果、使用時には前記突出部が後頭部を支えるため、首が安定するので、使用時に小さな力で首を安定状態にすることでき、より楽である。
【図面の簡単な説明】
【００２０】
【図１】図１は、本考案の実施形態の空気枕の概略構成を示す斜視図である。
【図２】図２は、本考案の実施形態の空気枕を構成する手押式ポンプユニットの概略構成を示す斜視図である。
【図３】図３は、図２に示した手押式ポンプユニットの分解状態を示す分解斜視図である。
【図４】図４は、実施形態の手押式ポンプユニットの仕組みを説明するための模式図である。
【図５】図５は、実施形態の手押式ポンプユニットの仕組みを説明するための模式図である。
【図６】図６は、実施形態の手押式ポンプユニットの仕組みを説明するための模式図である。
【図７】図７は、実施形態の手押式ポンプユニットの仕組みを説明するための模式図である。
【考案を実施するための形態】
【００２１】
以下、本考案に係る空気枕を、実施形態に基づき、図面を参照して説明する。
【００２２】
先ず、実施形態の空気枕１０の構成について説明する。
図１〜図７は、本考案の実施形態の空気枕１０の概略構成を示している。
【００２３】
この実施形態の空気枕１０は、図１に示したように、袋状の空気枕本体１１と、空気枕本体１１内へ空気を供給しうると共に排気しうる、空気枕本体１１に内蔵された手押式ポンプユニット１２とを備えている。
【００２４】
そして、手押式ポンプユニット１２は、図２に示したように、空気枕本体１１内へ空気を供給しうるポンプ部１３と、ポンプ部１３に接合され、ポンプ部１３により内部に高圧が形成された場合には空気枕本体１１内へ空気を供給すると共に、ポンプ部１３により内部に負圧が形成された場合には空気を外部から吸入するように構成されたバルブ部１４とを備えた構成とされている。
【００２５】
ここで、ポンプ部１３は、図１及び図２に示したように、空気枕本体１１上に突出配置され、可撓性を有する素材からなり、押圧された場合に変形可能な膨出部として形成されると共に、バルブ部１４は空気枕本体１１の表面部に開口し、空気を流入及び排出する空気流通孔部１５と、空気流通孔部１５を開閉しうるバルブ本体１６と、ポンプ部１３とバルブ部１４との間に、ポンプ部１３とバルブ部１４との間で空気を流通させる空気流通部２５とを有する。
【００２６】
また、バルブ本体１４は、図３に示したように、第一の弁座１７と、第一の弁座１７の内方側に設けられた第二の弁座１８と、第一の弁座１７を開閉可能に閉止する、可撓性を有する第一の弁部１９と、第二の弁座１８を開閉可能に閉止する、可撓性を有する第二の弁部２０とを備え、空気流通部２５は、第一の弁部１９と第二の弁部２０との間に設けられている。
【００２７】
さらに、ポンプ部１３は、図２及び図３に示したように、合成樹脂製であって中空のドーム体２１と、ドーム体２１に内装されたスプリング２２とを有すると共に、第一の弁座１７、第二の弁座１８、第一の弁部１９及び第二の弁部２０は同軸上に配置されており、同軸上に配置されたスプリング２３，２４により、それぞれ常時、閉状態に付勢されている。
【００２８】
また、ポンプ部１３、バルブ部１４、及びこれらを繋ぐ空気流通部２５は、図３に示したように、ポンプユニット上側部材２６とポンプユニット下側部材２７とを、その間に、ポンプ部１３の部分では、スプリング２２を挟み込むとともに、バルブ部１４の部分では、上記した第一の弁座１７、第二の弁座１８、第一の弁部１９、第二の弁部２０、及びスプリング２３，２４に加え、第一の弁座１７の下縁部を形成する第一弁座下縁部材２８と、第二の弁座１８の下縁部を形成する第二弁座下縁部材２９と、空気流通孔部１５を被覆可能な蓋部３０とを挟み込んで接合して構成されている。
【００２９】
ここで、空気枕本体１１は、図１に示したように、人の首に嵌め込み可能に平面略Ｕ字形状に形成されている。
【００３０】
また、手押式ポンプユニット１２は、この平面略Ｕ字形状の空気枕本体１１の一端部側に内蔵されている。
【００３１】
さらに、この空気枕本体１１の人の後頭部があたる位置には、後頭部を支えうる二子山状の突出部３１が形成されている。
【００３２】
なお、この空気枕本体１１の表面は、肌触りの良い素材から成るカバー材３２で被覆されている。
【００３３】
次に、手押式ポンプユニット１２の仕組みについて、図４〜図７を参照して説明する。
【００３４】
この手押式ポンプユニット１２は、図４に示したように、通常時は、バルブ部１４内のバルブ本体１６を形成する外側の第一の弁部１９と、内側の第二の弁部２０とは、第一の弁座１７と第二の弁座１８の周囲に巻かれたスプリング２３，２４で、第一の弁座１７と第一弁座下縁部材２８との間及び第二の弁座１８と第二弁座下縁部材２９との間にそれぞれ形成された第一の弁座１７と第二の弁座１８は挿通し、スプリング２３，２４の内側端部の挿通は遮る図示省略の支持部により、付勢され、第一の弁座１７と第一弁座下縁部材２８との間の隙間３３及び第二の弁座１８と第二弁座下縁部材２９との間の隙間３４を塞いで、ともに閉状態となっており、空気流通孔部１５の下側の弁間空間部３５は、略密閉空間となっている。
【００３５】
この手押式ポンプユニット１２は、図５に示したように、ポンプ部１３のドーム体２１をスプリング２２の付勢力に抗して手で押すと、ドーム体２１内の中空空間部３６の空気が、空気流通部２５内を通って、弁間空間部３５内へ流入し、弁間空間部３５内は高圧となる。
【００３６】
これにより、第一の弁部１９と第二の弁部２０とには、押圧力が働くので、第一の弁部１９は、第一弁座下縁部材２８に押し付けられるので、閉状態のままで、第二の弁部２０は、第二弁座下縁部材２９から撓んで離れ、開状態となり、弁間空間部３５内の空気が、隙間３４を通って、空気枕本体１１内へ供給される。
【００３７】
また、この手押式ポンプユニット１２は、図６に示したように、ポンプ部１３のドーム体２１の手の力を抜くと、ドーム体２１は、中空空間部３６に設けられたスプリング２２の付勢力の助けも借りて元の状態に復元し、弁間空間部３５内の空気が、空気流通部２５内を通って、中空空間部３６内へ流入し、弁間空間部３５内は負圧となる。
【００３８】
これにより、第一の弁部１９と第二の弁部２０とには、引張力が働くので、第一の弁部１９は、第一弁座下縁部材２８から撓んで離れ、開状態となり、第二の弁部２０は、第二弁座下縁部材２９に押し付けられるので、閉状態のままであり、外部から弁間空間部３５内へ空気が、隙間３３を通って、空気流通部２５内を通って、ドーム体２１の中空空間部３６内へ供給され、図４に示した通常時の状態に戻る。
【００３９】
これら図４から図６に示した状態の繰り返しにより、空気枕本体１１内へ外部の空気が供給される。
【００４０】
なお、空気枕本体１１内の空気を抜きたいときは、図７に示したように、第一の弁座１７の外側端部を指で押すと、第一の弁部１９が第二の弁座１８の外側端部を押すので、第一の弁部１９は第一弁座下縁部材２８から離れ開状態となり、第二の弁部２０も第二弁座下縁部材２９から離れ開状態となる。
【００４１】
これにより、空気枕本体１１内の空気が隙間３３，３４を通って、外部へ抜け、カバンなどに収納し易い更によりコンパクトな状態にすることができる。
【００４２】
なお、第一の弁座１７の外側端部から指を離すと、スプリング２３，２４の付勢力により、手押式ポンプユニット１２は、図４に示した通常時の状態に戻る。
【００４３】
次に、この実施形態の空気枕１０の作用効果について説明する。
【００４４】
この本考案の実施形態の空気枕１０は、図１〜図７に示したように、袋状の空気枕本体１１と、空気枕本体１１内へ空気を供給しうると共に排気しうる、空気枕本体１１に内蔵された手押式ポンプユニット１２とを備え、手押式ポンプユニット１２は、空気枕本体１１内へ空気を供給しうるポンプ部１３と、ポンプ部１３に接合され、ポンプ部１３により内部に高圧が形成された場合には空気枕本体１１内へ空気を供給すると共に、ポンプ部１３により内部に負圧が形成された場合には空気を外部から吸入するように構成されたバルブ部１４とを備えた構成とされている。
【００４５】
従って、手押式ポンプユニット１２が空気枕本体１１に内蔵されているため、空気枕本体１１から垂れ下がるものがない。
【００４６】
その結果、手押式ポンプユニット１２が空気枕本体１１に内蔵されているため、空気枕本体１１から垂れ下がるものがないので、その分、内部に空気を入れるのに口を使う必要がなく、衛生的であるうえに、よりコンパクトである。
【００４７】
ここで、ポンプ部１３は、空気枕本体１１上に突出配置され、可撓性を有する素材からなり、押圧された場合に変形可能な膨出部として形成されると共に、バルブ部１４は空気枕本体１１の表面部に開口し、空気を流入及び排出する空気流通孔部１５と、空気流通孔部１５を開閉しうるバルブ本体１６と、ポンプ部１３とバルブ部１４との間に、ポンプ部１３とバルブ部１４との間で空気を流通させる空気流通部２５とを有する。
【００４８】
従って、ポンプ部１３は、空気枕本体１１上に突出配置されているため、空気枕本体１１内に空気を入れる際に押し易い。
【００４９】
その結果、空気枕本体１１内に空気を入れる際にポンプ部１３を押し易いので、必要時にポンプ部１３を作動させることにより、容易且つ迅速に空気枕本体１１内へ供気することができる。
【００５０】
また、バルブ本体１６は、第一の弁座１７と、第一の弁座１７の内方側に設けられた第二の弁座１８と、第一の弁座１７を開閉可能に閉止する、可撓性を有する第一の弁部１９と、第二の弁座１８を開閉可能に閉止する、可撓性を有する第二の弁部２０とを備え、空気流通部２５は第一の弁部１７と第二の弁部１８との間に設けられている。
【００５１】
従って、ポンプ部１３を手で押して、空気枕本体１１内に空気を入れる際に、ポンプ部１３が収縮しているときは、第一の弁部１９は閉状態で、第二の弁部２０は開状態となり、ポンプ部１３が復元しているときは、第一の弁部１９は開状態で、第二の弁部２０は閉状態となる。
【００５２】
その結果、ポンプ部１３を手で押して、空気枕本体１１内に空気を入れる際に、ポンプ部１３が収縮しているときは、内部に形成される高圧により、第一の弁部１９は閉状態で、第二の弁部２０は開状態となり、ポンプ部１３が復元しているときは、内部に形成される負圧により、第一の弁部１９は開状態で、第二の弁部２０は閉状態となるので、空気枕本体１１内へ空気を効率的に素早く入れることができる。
【００５３】
さらに、ポンプ部１３は、合成樹脂製であって中空のドーム体２１と、ドーム体２１に内装されたスプリング２２とを有すると共に、第一の弁座１７、第二の弁座１８、第一の弁部１９及び第二の弁部２０は同軸上に配置されており、同軸上に配置されたスプリング２３，２４により常時、閉状態に付勢されている。
【００５４】
従って、ポンプ部１３を形成する合成樹脂製の中空のドーム体２１に内装されたスプリング２２により、ポンプ部１３が素早く復元するとともに、第一の弁座１７、第二の弁座１８、第一の弁部１９及び第二の弁部２０は同軸上に配置されており、同軸上に配置されたスプリング２３，２４により常時、閉状態に付勢されているため、第一の弁部１９も第二の弁部２０も常時は閉状態であるが、バルブ部１３内に高圧又は負圧が形成されることにより、第一の弁部又は第二の弁部２０が開状態又は閉状態となる。
【００５５】
その結果、ポンプ部１３を形成する合成樹脂製の前記中空のドーム体２１に内装されたスプリング２２により、ポンプ部１３が素早く復元するとともに、第一の弁座１７、第二の弁座１８、第一の弁部１９及び第二の弁部２０は同軸上に配置されており、同軸上に配置されたスプリング２３，２４により常時、閉状態に付勢されているため、第一の弁部１９も第二の弁部２０も常時は閉状態であるが、バルブ部１３内に高圧又は負圧が形成されることにより、第一の弁部１９又は第二の弁部２０が開状態又は閉状態となるので、空気枕本体１１内へ空気をより効率的に素早く入れることができる。
【００５６】
また、空気枕本体１１は、人の首に嵌め込み可能に平面略Ｕ字形状に形成されている。
【００５７】
従って、使用時は首に嵌め込めばよいため、位置がずれない。
【００５８】
その結果、使用時は首に嵌め込めばよいため、位置がずれないので、乗り物の背凭れの有る座席などに座って使用している場合も、位置直しをせずに済み、楽である。
【００５９】
さらに、空気枕本体１１の人の後頭部があたる位置には、後頭部を支えうる突出部３１が形成されている。
【００６０】
従って、使用時には突出部３１が後頭部を支えるため、首が安定する。
【００６１】
その結果、使用時には突出部３１が後頭部を支えるため、首が安定するので、使用時に小さな力で首を安定状態にすることでき、より楽である。
【００６２】
以上、本考案に係る空気枕の実施形態について図面を参照して詳述してきたが、具体的な構成は、この実施形態に限らず、本考案の要旨を逸脱しない程度の設計的変更は、本考案に含まれる。
【産業上の利用可能性】
【００６３】
本考案に係る空気枕は、旅行時などに携帯するのに適した空気枕として、広く実施することができるので、産業上の利用可能性を有している。
【符号の説明】
【００６４】
１０    空気枕
１１    空気枕本体
１２    手押式ポンプユニット
１３    ポンプ部
１４    バルブ部
１５    空気流通孔部
１６    バルブ本体
１７    第一の弁座
１８    第二の弁座
１９    第一の弁部
２０    第二の弁部
２１    ドーム体
２２    スプリング
２３    スプリング
２４    スプリング
２５    空気通気部
２６    ポンプユニット上側部材
２７    ポンプユニット下側部材
２８    第一弁座下縁部材
２９    第二弁座下縁部材
３０    蓋部
３１    突出部
３２    カバー材
３３    隙間
３４    隙間
３５    弁間空間部
３６    中空空間部
【図１】
0003214113.tif 000003
【図２】
0003214113.tif 000004
【図３】
0003214113.tif 000005
【図４】
0003214113.tif 000006
【図５】
0003214113.tif 000007
【図６】
0003214113.tif 000008
【図７】
0003214113.tif 000009